(57)【要約】【課題】パター、アイアン及びドライバー等総てのクラブ使用時において、ゴルフボールを真直ぐに飛ばすためのスイングを習得しえる練習器具を提供すること、特に、スイング時にシャフトが常にオンプレーン上に位置することを意識することが出来る練習器具を提供することを目的とする。又、スイング矯正のための練習時に違和感を感じることなく、通常のスイング時には不要な力を必要とせず、必要な力のみを必要とし、感覚的に通常のスイングと同様の感覚をもって矯正が可能な練習器具を提供することを目的とする。【解決手段】オンプレーン認識手段２とオンプレーン認識手段２を支持する支持手段３と、オンプレーン認識手段２と地面１０との角度を調整する角度調整手段４を備えたことを特徴とするゴルフ練習器具。【選択図】  図１
2007061478.tif 000002
【特許請求の範囲】
【請求項１】
オンプレーン認識手段とオンプレーン認識手段を支持する支持手段と、オンプレーン認識手段と地面との角度を調整する角度調整手段を備えたことを特徴とするゴルフ練習器具。
【請求項２】
オンプレーン認識手段は平面を目視可能としていることを特徴とする請求項１記載のゴルフ練習器具。
【請求項３】
オンプレーン認識手段は平面認識部材で構成したことを特徴とする請求項１又は２記載のゴルフ練習器具。
【請求項４】
平面認識部材は枠体と枠体間に張設された平面状の平面構成部材を備えて構成したことを特徴とする請求項１から３のうちいずれか記載のゴルフ練習器具。
【請求項５】
平面認識部材の少なくとも一部は柔軟性を有していることを特徴とする請求項３又は４記載のゴルフ練習器具。
【請求項６】
平面認識部材の少なくとも一部は透視可能であることを特徴とする請求項３から５のうちいずれか記載のゴルフ練習器具。
【請求項７】
平面認識部材と地面との高さを調整する高さ調整手段を設けたことを特徴とする請求項３から６のうちいずれか記載のゴルフ練習器具。
【請求項８】
平面認識部材は同一高さ位置で曲折した状態を維持可能としたことを特徴とする請求項３から７のうちいずれか記載のゴルフ練習器具。
【請求項９】
平面認識部材は枠体と枠体に設置されたセンサを備えて構成したことを特徴とする請求項１から３のうちいずれか記載のゴルフ練習器具。
【請求項１０】
上記センサは可視光レーザーを用いたレーザーセンサであることを特徴とする請求項９記載のゴルフ練習器具。
【請求項１１】
オンプレーン認識手段は２個の平行の平面認識部材で構成されていることを特徴とする請求項１から１０のうちいずれか記載のゴルフ練習器具。
【請求項１２】
ライ角及び／又は平面認識部材と地面との角度を測定する角度測定手段を設けことを特徴とする請求項１から１１のうちいずれか記載のゴルフ練習器具。
【請求項１３】
折畳み可能なことを特徴とする請求項１から１２のうちいずれか記載のゴルフ練習器具。
【発明の詳細な説明】
【技術分野】
【０００１】
本発明はゴルフ練習器具に関し、詳しくは、スイング動作時のゴルフクラブのシャフトの軌道を矯正するゴルフ練習器具に関する。
【背景技術】
【０００２】
ゴルフにおいてゴルフボールをスライスやフックをさせずに真直ぐに飛ばすためにはヘッドのゴルフボールに対する角度が重要であることは周知である。更に、スイング時のシャフトの軌道も同様に重要であることが認識されてきている。即ち、ゴルフボールを真直ぐに飛ばすためには、スイング時にシャフトが常にオンプレーン上に位置する必要がある。
【０００３】
詳しくは、スイング中のシャフトは、常に構えたときのシャフト上を通る平面上にあることが必要であり、シャフトがこの平面に乗った状態をオンプレーンという。即ちオンプレーンの平面は構えたときのライ角の角度と等しい平面である。勿論、この面と地面の接線はゴルフボールとボールを飛ばす目標方向の延長線上の直線であることが必要である。
【０００４】
スイング動作を強制するゴルフ練習器具としては、パッテイング面上の所定高さに軸受部を有する本体と、軸受部に、パッテイング面に対して所定傾斜角度で円弧状に揺動可能に支持された揺動アームと、パターのシャフトを把持するための把持部と、この把持部を揺動アームの先端部に連結し、かつその連結軸心の周りに把持部を回動可能とする回動連結部とを備え、パッテイング動作を把持部の動きに対応させることにより矯正するパッテイング動作矯正装置が提案されている（例えば、特許文献１参照。）。
【０００５】
しかし、パッテイング動作はバックストローク及びフォアストローク時に、ストローク幅がアイアンやドライバーと比べると極めて狭く、ヘッドが腰の位置を越えることはない。そして、この装置はパッテイング動作の矯正装置であるので、ヘッドを肩の高さ乃至は頭上へ振り上げることは出来ないものである。又、パッテイング動作では上方から見た場合ヘッドは常にパッテイング目標方向の延長線上を直線移動するが、アイアンやドライバーでは円弧運動をする。従って、上記従来技術ではアイアンやドライバー使用時の矯正は出来なかった。更に、装置とシャフトが固定されているので、スイングに違和感が感じてしまうことが多く、又、スイング時に通常のスイングでは不要の力が必要であったり、必要な力が不要であったりするので、装置を解除してスイングをしても、感覚が全く異なり、充分な矯正効果を発揮できなかった。更に、オンプレーンの面を認識することが出来なかった。又、複雑な機構を有し、運搬、保管及び設置に不便であり、製造コストも高価であった。
【０００６】
【特許文献１】特開２００４−２４２９３５
【発明の開示】
【発明が解決しようとする課題】
【０００７】
そこで、本願発明は上記従来例の欠点を解消し、パター、アイアン及びドライバー等総てのクラブ使用時において、ゴルフボールを真直ぐに飛ばすためのスイングを習得しえる練習器具を提供することを目的とする。本発明の発明者はこの目的達成のために、構えたときのシャフトの角度を保ってスイングを行えばよいことを見出し、更に、シャフトの角度を保ってスイングを行えばその軌道は平面になることから、該平面を認識可能とすることにより達成できるとの知見を得た。そこで特に、スイング時にシャフトが常にオンプレーン上に位置することを意識することが出来る練習器具を提供することを目的とする。又、スイング矯正のための練習時に違和感を感じることなく、通常のスイング時には不要な力を必要とせず、必要な力のみを必要とし、感覚的に通常のスイングと同様の感覚をもって矯正が可能な練習器具を提供することを目的とする。更に、簡易な構成として、運搬、保管及び設置を容易とすること、製造コストを低廉化することも目的とする。
【課題を解決するための手段】
【０００８】
上記課題を解決するための手段としての本願発明は、オンプレーン認識手段とオンプレーン認識手段を支持する支持手段と、オンプレーン認識手段と地面との角度を調整する角度調整手段を備えたことを特徴とするゴルフ練習器具である。この構成によりスイング時にシャフトが常にオンプレーン上に位置することを意識することが出来、パター、アイアン及びドライバー等総てのクラブ使用時において、ゴルフボールを真直ぐに飛ばすためのスイングを習得することが可能となる。
【０００９】
又、上記手段において、オンプレーン認識手段は平面を目視可能としていることを特徴とするゴルフ練習器具である。この構成により、オンプレーンの平面をビジュアル化することが出来、よりオンプレーンを意識できる。
【００１０】
又、上記手段において、オンプレーン認識手段は平面認識部材で構成したことを特徴とするゴルフ練習器具である。この構成により平面をより容易に認識可能としている。
【００１１】
又、上記手段において、平面認識部材は枠体と枠体間に張設された平面状の平面構成部材を備えて構成したことを特徴とするゴルフ練習器具である。これによりゴルフ練習器具を簡易な構成とすることが出来た。
【００１２】
又、上記手段において、平面認識部材の少なくとも一部は柔軟性を有していることを特徴とするゴルフ練習器具である。この構成によりクラブやゴルフ練習器具の破損を防止できると共に、ゴルフ練習器具を容易に折畳み可能とすることが出来た。
【００１３】
又、上記手段において、平面認識部材の少なくとも一部は透視可能であることを特徴とするゴルフ練習器具である。この構成により足元等が見え、良好な練習環境を提供することが出来る。
【００１４】
又、上記手段において、平面認識部材と地面との高さを調整する高さ調整手段を設けたことを特徴とするのゴルフ練習器具である。この構成により、ゴルフボールをティーアップした場合にもシャフトと平面認識部材を平行且近接した状態とすることが出来、より正確にオンプレーンの平面を認識出来た。
【００１５】
又、上記手段において、平面認識部材は同一高さ位置で曲折した状態を維持可能としたことを特徴とするゴルフ練習器具である。このような構成により、ゴルフボールをティーアップした場合及びしない場合いずれでもシャフトと平面認識部材の一部平面を平行且近接した状態とすることが出来ると共に、ゴルフボールを平面認識部材、ゴルフ練習器具と離間して置けるので、クラブ特にヘッドとゴルフ練習器具の接触の心配をプレーヤーがすることなく、安心して練習できた。
【００１６】
又、上記手段において、平面認識部材は枠体と枠体に設置されたセンサを備えて構成したことを特徴とするゴルフ練習器具である。この構成により、より正確なオンプレーンの平面の認識が可能となった。
【００１７】
又、上記手段において、上記センサは可視光レーザーを用いたレーザーセンサであることを特徴とするゴルフ練習器具である。この構成により、平面を目視可能とし、より確実に平面を認識可能となった。
【００１８】
又、上記手段において、オンプレーン認識手段は２個の平行の平面認識部材で構成されていることを特徴とするゴルフ練習器具である。この構成により、より正確にオンプレーンの平面を認識させることが可能となった。
【００１９】
又、上記手段において、ライ角及び／又は平面認識部材と地面との角度を測定する角度測定手段を設けことを特徴とするゴルフ練習器具である。この構成により、平面認識部材の地面との角度設定を容易且正確に行えることが出来る。
【００２０】
又、上記手段において、折畳み可能なことを特徴とするゴルフ練習器具である。この構成により、運搬、保管に便利となった。
【発明の効果】
【００２１】
以上のような本願発明によれば、パター、アイアン及びドライバー等総てのクラブ使用時において、ゴルフボールを真直ぐに飛ばすためのスイングを習得しえる練習器具を提供することが可能となった。特に、スイング時にシャフトが常にオンプレーン上に位置することを意識することが出来る練習器具を提供することが可能となった。又、スイング矯正のための練習時に違和感を感じることなく、通常のスイング時には不要な力を必要とせず、必要な力のみを必要とし、感覚的に通常のスイングと同様の感覚をもって矯正が可能な練習器具を提供することが可能となった。更に、簡易な構成として、運搬、保管及び設置を容易とすること、製造コストを低廉化することが出来た。
【発明を実施するための最良の形態】
【００２２】
以下本発明の実施の形態を図に従って詳細に説明する。図１は本発明ゴルフ練習器具の第一実施形態の斜視図である。ゴルフ練習器具１はオンプレーン認識手段２、支持手段３及び角度調整手段４を備えて構成されている。
【００２３】
オンプレーン認識手段２はスイング時にシャフトが常に同一平面上、詳しくは構えたときのシャフト上を通る平面上を移動していることを認識させるための手段であり、１個の平面認識部材２０で構成されている。平面認識部材２０は底部５１及び両側部５２，５２で構成されたコの字型の枠体５と枠体５間に平面状に張設された平面構成部材６で平面状に形成している。平面構成部材６は布、網、厚紙や合成樹脂製シート等で構成し平面を目視可能としているが、特に柔軟性を有し、且平面構成部材６の反対側が透視可能な透明な部材或いは構成であることが好ましい。柔軟性を有することにより、ヘッド７２やシャフト７１が接触してもクラブ７やゴルフ練習器具１の破損を防止できると共に、ゴルフ練習器具１を容易に折畳み可能とすることが出来る。又、透視可能とすることにより、足元等が見え、良好な練習環境を提供することが出来る。枠体５の底部５１には約ボール１個分の間隔を有する目盛５５を設けてゴルフボール１１を置く位置の目安とすることも出来る。
【００２４】
枠体５は両側部５２，５２のみで構成し或いは底部５１、両側部５２，５２に加え上部５０を設け平面構成部材６を囲むロの字型等としてもよく、芯材に形状記憶合金を用いて表面を柔軟性や弾性を有するゴム、合成樹脂で被覆してもよい。平面構成部材６は複数の棒体、紐或いは帯状体を枠体５に架設して構成することも出来る。又、平面認識部材２０は上記構成に限定されず、合成樹脂、合板等の平板を用いることも出来、この場合枠体５を設けなくてもよい。
【００２５】
オンプレーン認識手段２たる平面認識部材２０は支持手段３により所望角度で支持されている。指示手段３は支持棒３１，３１で構成し、支持棒３１，３１の先端部に枠体５の両側部５２，５２の下端部を回動自在に枢結している。支持棒３１，３１間には補助棒３２を設け、ゴルフ練習器具１の安定性、強度を高めてもよい。
【００２６】
平面認識部材２０の地面１０に対する角度は角度調整手段４により調整自在としている。角度調整手段４は支持棒３１，３１の先端部に枠体５の両側部５２，５２の下端部をボルト及びナット等で回動自在且所定位置で固定可能な程度に締結して構成している。又、角度調整手段４は他の公知のロック機構を用いることができ、例えば図９等に示すようにハンドル８９の先端に支持棒３１を貫通し側部５２に設けたナットと結合するボルトを設けてハンドル８９の回転によりオンプレーン認識手段２たる平面認識部材２０と支持手段３の固定と固定解除を行う構成としてもよい。
【００２７】
更に、角度調整手段４は図１３に示すように、調整棒８８の一端を側部５２に他端を移動部材８７に夫々回動自在に軸支し、移動部材８７はボルト孔を有し、支持棒３１を被覆する形状に構成し、ハンドル８７１の先端に設けたボルトをボルト孔に挿入してハンドル８７１の回転によりボルト先端を支持棒３１に当接し、解除する構成としてもよい。又、移動部材８７はボルトを用いて固定するのではなく、支持棒３１にスライド可能な程度に嵌合させて構成してもよい。更に、図１４に示すように、角度調整手段４は支持棒３１の上面に多数の溝７０１，７０１…を設け、調整棒８６の上端を側部５２に回動自在に軸支すると共に、他端を溝７０１に係止可能な尖形に形成して構成してもよい。平面認識部材２０を確実に平面状に保つために調整棒８８，８６は平面認識部材２０の両側に設けることが望ましく、この場合対向する調整棒間に把持棒８０を架設して角度調整を容易とすることが好ましい。
【００２８】
又、図６に示すように、ゴルフ練習器具１には平面認識部材２０と地面１０との高さを調整する高さ調整手段８を設けることが好ましい。該高さ調整手段８は底部５１又は支持棒３１の枠体５側の端部に下方へ突出すると共に収納可能な突起８１を設けて構成することが出来る。この高さ調整手段８により、ゴルフボール１１をティーアップした場合にもシャフト７１と平面認識部材２０を平行且近接した状態とすることが出来る。
【００２９】
又、平面認識部材２０は同一高さ位置で曲折した状態に維持可能とすることが好ましい。このような構成とするため図７に示すように、平面認識部材２０を同一高さ位置でプレーヤー側に曲折可能且曲折状態を維持可能とし、具体的には枠体５の側部５２，５２の中間部例えば下端から１乃至１０ｃｍ程度の高さ位置に、上記角度調整手段４と同様の第二の角度調整手段４０を設けることとしてもよい。又、図８に示すように、平面認識部材２０を側面視くの字型に曲折し、具体的には枠体５の側部５２，５２の中間部例えば下端から１乃至３０ｃｍ程度の高さ位置でプレーヤー側に曲折して構成してもよい。この場合、屈曲位置から上方のみに平面構成部材６を設ければよい。更に、図示はしないが平面認識部材２０を同一高さ位置で曲折可能且曲折状態を維持可能とし、枠体５の側部５２，５２の中間部に、第二の角度調整手段４０を設け、平面認識部材２０と支持部材３とは固定することとしてもよい。このような構成により、ゴルフボール１１をティーアップした場合及びしない場合いずれでもシャフト７１と平面認識部材２０の一部平面を平行且近接した状態とすることが出来ると共に、ゴルフボール１１を平面認識部材２０、ゴルフ練習器具１と離間して置けるので、クラブ７特にヘッド７２とゴルフ練習器具１の接触の心配をプレーヤーがすることなく、安心して練習できる。
【００３０】
平面認識部材２０の平面形状はスイング中にプレーヤー１００の手が接触しなければ特に限定されないが、縦幅があまり短いと充分に平面を認識することができないので、シャフトの略半分程度以上の縦幅を有するものが好ましい。又、その横幅も特に限定されないが、同様の理由からスタンス幅以上とすることが好ましい。形状としては正方形、長方形、円形、半円形等特に限定されない。
【００３１】
従って、シャフトの略全長程度の縦幅でスタンスの１．５乃至３倍程度の横幅の長方形とすることもでき、又、図４に示すように、横幅をスタンス以上縦幅をシャフトの長さ以上の長さとし、中央上部にプレーヤー１００の手との接触を防止する切欠部２７を設ける形状としてもよい。平面認識部材２０の切欠部２７の両側の延長部２６，２６の高さをプレーヤー１００の腰、胸、肩、頭程度或いはそれ以上としてもよい。この場合延長部２６の一部は側面視プレーヤーの側面或いは背面側に位置することになる。更に、図５に示すように、平面認識部材２０の縦幅を側面視プレーヤー１００の背面側に位置するように延設し、略中央部に略円形、楕円形等の形状のくり抜き部２３を設けて構成することも出来る。プレーヤー１００はくり抜き部２３に入ってスイングをする。
【００３２】
オンプレーン認識手段２たる平面認識部材２０は、図９に示すように、上部５０、底部５１及び両側部５２，５２で構成されたロの字型の枠体５と上部５０に設けたセンサ２９，２９…で構成してもよく、又、図１０に示すように底部５１及び両側部５２，５２で構成されたコの字型の枠体５と側部５２に設けたセンサ２９，２９…で構成してもよい。センサ２９は図示しないバッテリーを電源とし、レーザー光は可視光のビーム状で反射板２９１，２９１…を用いた回帰反射形を用い、センサ２９がシャフトの通過を感知すると図示しない通知装置が作動し例えば光、音で通知する構成としている。このように複数のレーザービーム２９０，２９０…により平面を構成し、平面を認識可能としている。そして、センサ２９を可視光レーザーを用いたレーザーセンサを用いることによりオンプレーンの平面を略目視可能となる。
【００３３】
尚、センサは他の公知のものも用いることができ、レーザー光が幅広いセンサを用いる場合にはセンサ２９は１個でもよく、センサ２９が可視光レーザーを用いた光幅が広いセンサであればオンプレーンの平面が完全に目視可能となる。又、センサ２９はレーザー光が可視光以外のものやレーザー以外のものも使用できる。可視光以外のものを用いても、シャフトの通過の感知により作動する図示しない通知装置により、平面を認識可能である。又、センサ２９の代わりに可視光レーザーを用いたレーザーポインタを用いることも可能である。
【００３４】
又、オンプレーン認識手段２は、図１１及び１２に示すように、少なくともヘッド７２の横幅以上の間隔を有する平行の２個の平面認識部材２０，２０で構成することも出来る。又、プレーヤ１００から離れた側の平面認識部材２０の両側部５２を曲折して平面認識部材２０，２０の上部はヘッド７２の横幅以下、シャフト７１の径以上の幅とすることとしてもよい。更に、プレーヤーの恐怖心を和らげるために、２個の平面認識部材２０，２０のうちいずれかはシャフト７１の軌道部部のみに設けることとしてもよい。
【００３５】
ゴルフ練習器具１は運搬、保管等の便利のために折畳み可能とすることが望ましい。例えば図１に示す実施形態の場合、枠体５の底部５１を中央で分割し、底部５１と側部５２を分割し、夫々蝶番で回動自在に結合すると共に、補助棒３２を中央で分割し、支持棒３１と補助棒３２を分割し、夫々蝶番で回動自在に結合する構成とすることで、棒状に折畳むことが出来る。
【００３６】
又、平面認識部材２０と支持手段３の結合部に分度器を設ける等して予めライ角及び／又は平面認識部材２０と地面１０との角度を測定し確認できる角度測定手段を設けてもよい。プレーヤーは使用するクラブの種類により異なる自分のライ角を該分度器を用いて確認した後に、該分度器を利用して平面認識部材２０の角度を確認したライ角と同じ角度に設定する。このような構成により、平面認識部材２０の地面１０との角度設定を容易且正確に行えることが出来る。
【００３７】
次にその使用方法について説明する。ゴルフボール１１を枠体５の底部５１に近接して置き、クラブ７を構える。そして、角度調整手段４により平面認識部材２０の角度をシャフト７１と地面１０の角度即ちライ角と同一にし、平面認識部材２０とシャフト７１を平行に固定する。このとき、平面認識部材２０とシャフト７１はできるだけ近接させることが望ましい。このように平面認識部材２０を設定することにより、平面認識部材２０の平面はオンプレーンと平行となり、スイングのバックストローク及びフォアストローク時に平面認識部材２０にシャフト７１或いはヘッド７２が接触しなければオンプレーンのスイングが出来たことが分かり、接触した場合にはオンプレーンのスイングが出来なかったことが分かる。
【図面の簡単な説明】
【００３８】
【図１】本発明第一の実施形態斜視図
【図２】本発明第一の実施形態使用状態側面図
【図３】本発明第一の実施形態使用状態正面図
【図４】本発明第二の実施形態使用状態正面図
【図５】本発明第三の実施形態使用状態正面図
【図６】本発明第四の実施形態側面図
【図７】本発明第五の実施形態斜視図
【図８】本発明第六の実施形態斜視図
【図９】本発明第七の実施形態斜視図
【図１０】本発明第八の実施形態斜視図
【図１１】本発明第九の実施形態斜視図
【図１２】本発明第九の実施形態使用状態側面図
【図１３】角度調整手段の実施例を示す側面図
【図１４】角度調整手段の実施例を示す側面図
【符号の説明】
【００３９】
１      ゴルフ練習器具
１１    ゴルフボール
１００  プレーヤー
２      オンプレーン認識手段  
２０    平面認識部材
２９    センサ
３      支持手段
４      角度調整手段
５      枠体
５５    目盛
６      平面構成部材
７      クラブ
【図１】
2007061478.tif 000003
【図２】
2007061478.tif 000004
【図３】
2007061478.tif 000005
【図４】
2007061478.tif 000006
【図５】
2007061478.tif 000007
【図６】
2007061478.tif 000008
【図７】
2007061478.tif 000009
【図８】
2007061478.tif 000010
【図９】
2007061478.tif 000011
【図１０】
2007061478.tif 000012
【図１１】
2007061478.tif 000013
【図１２】
2007061478.tif 000014
【図１３】
2007061478.tif 000015
【図１４】
2007061478.tif 000016